(57)【特許請求の範囲】
【請求項１】
測定処理を実行する測定部と、
表示用データを記憶する測定装置側記憶部と、
設定されている動作条件を示す設定表示、動作状態を示す動作状態表示、および前記測定処理の結果を示す測定結果表示のうちの少なくとも１つの表示を外部装置の外部装置側表示部に表示させるための表示制御データを生成すると共に当該表示制御データを当該外部装置に送信することで当該外部装置側表示部に当該少なくとも１つの表示を表示させる表示制御処理を実行する測定装置側制御部とを備え、
前記測定装置側記憶部は、前記少なくとも１つの表示を構成する図柄、記号および文字のいずれかからなる複数の表示要素の画像の画像データと、前記画像データの画像、当該画像データの画像によって前記少なくとも１つの表示を表示させる際の前記外部装置側表示部における当該画像の表示位置、および当該表示位置に対して付与された表示位置識別符号を相互に関連付けた関連付けデータとを前記表示用データとして記憶すると共に、７セグメント表示方式の前記文字を含んで構成される前記少なくとも１つの表示を前記外部装置側表示部に表示可能に当該７セグメント表示方式の文字における各セグメントの画像のデータを前記画像データとして記憶し、
前記測定装置側制御部は、前記外部装置と通信可能な状態において予め規定された送信開始条件が満たされたときに、前記表示用データを当該外部装置に送信するデータ送信処理を実行し、前記表示制御処理において、前記少なくとも１つの表示を構成する前記表示要素の前記画像を特定すると共に、特定した当該画像の前記表示位置に対して付与された前記表示位置識別符号を特定可能な情報を前記表示制御データとして前記外部装置に送信する測定装置。
【請求項２】
測定処理を実行する測定部と、
表示用データを記憶する測定装置側記憶部と、
設定されている動作条件を示す設定表示、動作状態を示す動作状態表示、および前記測定処理の結果を示す測定結果表示のうちの少なくとも１つの表示を外部装置の外部装置側表示部に表示させるための表示制御データを生成すると共に当該表示制御データを当該外部装置に送信することで当該外部装置側表示部に当該少なくとも１つの表示を表示させる表示制御処理を実行する測定装置側制御部と、
前記少なくとも１つの表示を表示する測定装置側表示部とを備え、
前記測定装置側記憶部は、前記少なくとも１つの表示を構成する図柄、記号および文字のいずれかからなる複数の表示要素の画像の画像データと、前記画像データの画像、当該画像データの画像によって前記少なくとも１つの表示を表示させる際の前記外部装置側表示部における当該画像の表示位置、および当該表示位置に対して付与された表示位置識別符号を相互に関連付けた関連付けデータとを前記表示用データとして記憶し、
前記測定装置側制御部は、前記外部装置と通信可能な状態において予め規定された送信開始条件が満たされたときに、前記表示用データを当該外部装置に送信するデータ送信処理を実行し、前記表示制御処理において、前記複数の表示要素のうちのいずれかの当該表示要素を指定して前記測定装置側表示部に表示させることで前記少なくとも１つの表示を表示させ、かつ当該測定装置側表示部に表示させた当該少なくとも１つの表示を構成する当該表示要素の前記画像を特定すると共に、特定した当該画像の前記表示位置に対して付与された前記表示位置識別符号を特定可能な情報を前記表示制御データとして前記外部装置に送信する測定装置。
【請求項３】
測定処理を実行する測定部と、
表示用データを記憶する測定装置側記憶部と、
設定されている動作条件を示す設定表示、動作状態を示す動作状態表示、および前記測定処理の結果を示す測定結果表示のうちの少なくとも１つの表示を外部装置の外部装置側表示部に表示させるための表示制御データを生成すると共に当該表示制御データを当該外部装置に送信することで当該外部装置側表示部に当該少なくとも１つの表示を表示させる表示制御処理を実行する測定装置側制御部とを備えた測定装置であって、
前記測定装置側記憶部は、前記少なくとも１つの表示を構成する図柄、記号および文字のいずれかからなる複数の表示要素の画像の画像データと、前記画像データの画像、当該画像データの画像によって前記少なくとも１つの表示を表示させる際の前記外部装置側表示部における当該画像の表示位置、および当該表示位置に対して付与された表示位置識別符号を相互に関連付けた関連付けデータとを前記表示用データとして記憶すると共に、当該測定装置に対して付与された第１の装置識別符号、および当該測定装置と同じ前記少なくとも１つの表示を表示可能に構成された測定装置群に対して付与された第２の装置識別符号のいずれか一方の装置識別符号を記憶し、
前記測定装置側制御部は、前記一方の装置識別符号を前記外部装置に送信すると共に、前記外部装置と通信可能な状態において前記表示用データの送信を許容する送信開始信号が当該外部装置から送信されたときに予め規定された送信開始条件が満たされたとして前記表示用データを当該外部装置に送信するデータ送信処理を実行し、前記表示制御処理において、前記少なくとも１つの表示を構成する前記表示要素の前記画像を特定すると共に、特定した当該画像の前記表示位置に対して付与された前記表示位置識別符号を特定可能な情報を前記表示制御データとして前記外部装置に送信する測定装置。
【請求項４】
測定装置に設定されている動作条件を示す設定表示、前記測定装置の動作状態を示す動作状態表示、および前記測定装置による測定処理の結果を示す測定結果表示のうちの少なくとも１つの表示を表示可能な携帯端末側表示部と、
表示用データを記憶する携帯端末側記憶部と、
図柄、記号および文字のいずれかからなる複数の表示要素で構成される前記少なくとも１つの表示を前記表示用データおよび前記測定装置から送信される表示制御データに基づいて前記携帯端末側表示部に表示させる表示処理を実行する携帯端末側制御部とを備え、
前記携帯端末側制御部は、前記複数の表示要素の画像を含む複数の画像の画像データと、前記画像データの画像、当該画像データの画像によって前記少なくとも１つの表示を表示させる際の携帯端末側表示部における当該画像の表示位置、および当該表示位置に対して付与された表示位置識別符号を相互に関連付けた関連付けデータとが前記表示用データとして前記測定装置から送信されたときに当該表示用データを前記携帯端末側記憶部に記憶させ、かつ前記表示処理において、前記測定装置から送信された前記表示制御データおよび前記表示用データに基づき、当該表示制御データに基づいて特定した前記表示位置識別符号に関連付けられている前記画像データの画像を当該表示位置識別符号が付与されている前記表示位置に表示させることで前記携帯端末側表示部に前記少なくとも１つの表示を表示させると共に、前記測定装置と通信可能な状態において予め規定された受信開始条件が満たされたときに、当該測定装置についての前記少なくとも１つの表示を表示可能な前記表示用データが前記携帯端末側記憶部に記憶されているか否かを判別し、当該表示用データが記憶されていないときに当該表示用データの送信を開始させる送信開始信号を前記測定装置に送信する携帯端末装置。
【請求項５】
前記携帯端末側制御部は、前記測定装置に対して付与された第１の装置識別符号、および前記測定装置と同じ前記少なくとも１つの表示を表示可能に構成された測定装置群に対して付与された第２の装置識別符号のいずれか一方の装置識別符号が当該測定装置から送信されたときに前記受信開始条件が満たされたと判別し、当該一方の装置識別符号に関連付けられている前記表示用データが前記携帯端末側記憶部に記憶されていないときには、前記送信開始信号を前記測定装置に送信すると共に当該測定装置から送信される前記表示用データを当該一方の装置識別符号に関連付けて当該携帯端末側記憶部に記憶させ、当該一方の装置識別符号に関連付けられている前記表示用データが前記携帯端末側記憶部に記憶されているときには、当該表示用データの送信が不要であることを報知する報知信号を前記測定装置に送信する請求項４記載の携帯端末装置。
【請求項６】
請求項１または２記載の測定装置と、前記外部装置としての請求項４記載の携帯端末装置とを備えて構成されている測定システム。
【請求項７】
請求項３記載の測定装置と、前記外部装置としての請求項５記載の携帯端末装置とを備えて構成されている測定システム。
【発明の詳細な説明】
【技術分野】
【０００１】
本発明は、設定表示、動作状態表示および測定結果表示のうちの少なくとも１つの表示を外部装置の表示部に表示させる測定装置、測定装置から送信された表示制御データに基づいて上記の少なくとも１つの表示を表示する携帯端末装置、並びにそのような測定装置と携帯端末装置とを備えて構成された測定システムに関するものである。
【背景技術】
【０００２】
この種の測定装置、携帯端末装置および測定システムとして、出願人は、測定装置およびスマートフォンを備えて構成した測定システムを下記の特許文献１に開示している。出願人が開示しているこの測定システムでは、測定装置による測定結果や測定装置の動作状態等を示す測定処理用画面を、測定装置の表示部およびスマートフォンの表示部の双方に表示させることが可能に構成されている。
【０００３】
具体的には、出願人が開示している測定システムでは、各種の携帯端末装置との通信が可能な無線通信部および有線通信部を備えて測定装置が構成されると共に、一例として、無線通信部や有線通信部を備えた既存のスマートフォンに測定システム専用の測定システム用プログラム（スマートフォンに測定結果等を表示させるための各表示要素の形状、表示位置および表示手順等が記録されたプログラム）がインストールされている。これにより、測定装置からスマートフォンに測定結果や動作状態に応じたデータを送信することで、測定装置の表示部に表示させている測定処理用画面（測定結果や動作状態等）と同じ情報で構成された仮想的なモニタ表示部をスマートフォンの表示部に表示させることが可能となっている。
【０００４】
この場合、出願人が開示している測定システムの測定装置は、測定結果や動作状態等を表示可能な複数のセグメントを有する液晶表示器で表示部が構成されている。また、出願人が開示している測定システムでは、スマートフォンの制御部が、測定システム用プログラムの記述に従い、測定装置から送信されるデータに応じて、測定装置の表示部に各セグメントによって表示される測定処理用画面と同じレイアウトで同じ情報を表す仮想的なモニタ表示部（測定部の表示部を模した表示画面）を含んだ測定処理用画面を表示させる構成が採用されている。
【０００５】
より具体的には、出願人が開示している測定システムでは、測定装置の制御部が、測定結果等に応じて表示部の各セグメントの表示／非表示を指示するデータを生成し、生成したデータに基づいて任意のセグメントを表示させることで測定結果等を測定装置の表示部に表示させる。また、測定部の制御部は、生成したデータをスマートフォンに送信する。この際に、スマートフォンの制御部は、インストールされている測定システム用プログラム、および測定装置から送信されたデータに基づいて、測定装置の表示部に表示されているセグメントと同様の仮想的なセグメントをスマートフォンの表示部に表示させる。これにより、測定装置の測定処理用画面と同様の仮想的なモニタ表示部（測定処理用画面）がスマートフォンの表示部に表示される。
【０００６】
これにより、出願人が開示している測定システムでは、測定部の表示部に測定処理用画面を表示させるためのデータ、およびスマートフォンの表示部にモニタ表示部（測定処理用画面）を表示させるためのデータを別個に生成することなく、測定装置において１つのデータを生成するだけで両表示部に同じ表示画面を表示させることができるだけでなく、例えば、測定結果や動作状態等を示す状態コードを測定装置から送信することでスマートフォンの表示部に測定装置の測定処理用画面と同様のモニタ表示部（測定処理用画面）を表示させる構成とは異なり、複数のセグメントのうちのいずれを表示させるかを特定可能な非常に小さなデータサイズのデータを測定装置からスマートフォンに送信するだけで、測定装置と同様の表示画面をスマートフォンの表示部に表示させることが可能となっている。
【先行技術文献】
【特許文献】
【０００７】
【特許文献１】特開２０１３−２０５１３９号公報（第７−１４頁、第１−９図）
【発明の概要】
【発明が解決しようとする課題】
【０００８】
ところが、出願人が開示している測定システムには、以下のような改善すべき課題が存在する。すなわち、出願人が開示している測定システムでは、スマートフォン等の携帯端末装置に測定システム専用の測定システム用プログラムを予めインストールしておき、測定処理用画面（モニタ表示部）の表示に際しては、予め規定された（測定システム用プログラムに記録された）各セグメントのうちのいずれを表示させるかを特定可能なデータを測定装置からスマートフォンに送信することで、スマートフォンの制御部が測定システム用プログラムに従ってスマートフォンの表示部にモニタ表示部（測定処理用画面）を表示させる構成が採用されている。
【０００９】
この場合、例えば、電圧計や電力計などの測定装置と、出願人が上記の特許文献に開示しているクランプ式抵抗測定装置とでは、測定処理用画面の表示態様（表示する測定結果等の種類や表示レイアウトなど）が相違する。したがって、上記の特許文献においてクランプ式抵抗測定装置用の測定処理用画面を表示するのに使用したスマートフォンを用いて、電圧計用の測定処理用画面や、電力計用の測定処理用画面を表示させようとした場合には、クランプ式抵抗測定装置用の測定処理用画面を表示するための上記の測定システム用プログラムとは別個に、電圧計用の測定測定処理用画面を表示するための測定システム用プログラムや、電力計用の測定処理用画面を表示するための測定システム用プログラムをスマートフォンにインストールする必要が生じる。
【００１０】
このため、例えば、クランプ式抵抗測定装置、電圧計および電力計の３つの測定装置を順次する利用者が、１台のスマートフォンを兼用して各測定装置の測定結果等を参照しようとした場合には、３つの測定システム用プログラムをスマートフォンにそれぞれインストールする必要があることから、これらのインストール作業が煩雑であると共に、測定システム用プログラムのインストールによって占有される記憶領域が非常に大きくなる。このため、この点を改善するのが好ましい。
【００１１】
この場合、複数種類の測定装置の測定処理用画面をそれぞれ模した複数種類のモニタ表示部を表示可能に測定システム用プログラムを記述することにより、１回のインストール作業によって複数の測定装置の測定処理用画面と同様のモニタ表示部（測定処理用画面）をスマートフォンに表示させることが可能となる。しかしながら、例えば、１種類の測定装置しか使用しない場合には、複数種類の測定装置に対応して各種のモニタ表示部（測定処理用画面）を表示可能とした大きなサイズの測定システム用プログラムによって記憶領域が不要に占有されることとなる。
【００１２】
本発明は、かかる改善すべき課題に鑑みてなされたものであり、携帯端末装置（外部装置）の貴重な記憶領域を不要に占有することなく、設定表示、動作状態表示および測定結果表示のうちの少なくとも１つの表示を携帯端末側表示部（外部装置側表示部）に表示し得る測定装置、携帯端末装置および測定システムを提供することを主目的とする。
【課題を解決するための手段】
【００１３】
上記目的を達成すべく請求項１記載の測定装置は、測定処理を実行する測定部と、表示用データを記憶する測定装置側記憶部と、設定されている動作条件を示す設定表示、動作状態を示す動作状態表示、および前記測定処理の結果を示す測定結果表示のうちの少なくとも１つの表示を外部装置の外部装置側表示部に表示させるための表示制御データを生成すると共に当該表示制御データを当該外部装置に送信することで当該外部装置側表示部に当該少なくとも１つの表示を表示させる表示制御処理を実行する測定装置側制御部とを備え、前記測定装置側記憶部は、前記少なくとも１つの表示を構成する図柄、記号および文字のいずれかからなる複数の表示要素の画像の画像データと、前記画像データの画像、当該画像データの画像によって前記少なくとも１つの表示を表示させる際の前記外部装置側表示部における当該画像の表示位置、および当該表示位置に対して付与された表示位置識別符号を相互に関連付けた関連付けデータとを前記表示用データとして記憶すると共に、７セグメント表示方式の前記文字を含んで構成される前記少なくとも１つの表示を前記外部装置側表示部に表示可能に当該７セグメント表示方式の文字における各セグメントの画像のデータを前記画像データとして記憶し、前記測定装置側制御部は、前記外部装置と通信可能な状態において予め規定された送信開始条件が満たされたときに、前記表示用データを当該外部装置に送信するデータ送信処理を実行し、前記表示制御処理において、前記少なくとも１つの表示を構成する前記表示要素の前記画像を特定すると共に、特定した当該画像の前記表示位置に対して付与された前記表示位置識別符号を特定可能な情報を前記表示制御データとして前記外部装置に送信する。
【００１５】
また、請求項２記載の測定装置は、測定処理を実行する測定部と、表示用データを記憶する測定装置側記憶部と、設定されている動作条件を示す設定表示、動作状態を示す動作状態表示、および前記測定処理の結果を示す測定結果表示のうちの少なくとも１つの表示を外部装置の外部装置側表示部に表示させるための表示制御データを生成すると共に当該表示制御データを当該外部装置に送信することで当該外部装置側表示部に当該少なくとも１つの表示を表示させる表示制御処理を実行する測定装置側制御部と、前記少なくとも１つの表示を表示する測定装置側表示部とを備え、前記測定装置側記憶部は、前記少なくとも１つの表示を構成する図柄、記号および文字のいずれかからなる複数の表示要素の画像の画像データと、前記画像データの画像、当該画像データの画像によって前記少なくとも１つの表示を表示させる際の前記外部装置側表示部における当該画像の表示位置、および当該表示位置に対して付与された表示位置識別符号を相互に関連付けた関連付けデータとを前記表示用データとして記憶し、前記測定装置側制御部は、前記外部装置と通信可能な状態において予め規定された送信開始条件が満たされたときに、前記表示用データを当該外部装置に送信するデータ送信処理を実行し、前記表示制御処理において、前記複数の表示要素のうちのいずれかの当該表示要素を指定して前記測定装置側表示部に表示させることで前記少なくとも１つの表示を表示させ、かつ当該測定装置側表示部に表示させた当該少なくとも１つの表示を構成する当該表示要素の前記画像を特定すると共に、特定した当該画像の前記表示位置に対して付与された前記表示位置識別符号を特定可能な情報を前記表示制御データとして前記外部装置に送信する。
【００１６】
さらに、請求項３記載の測定装置は、測定処理を実行する測定部と、表示用データを記憶する測定装置側記憶部と、設定されている動作条件を示す設定表示、動作状態を示す動作状態表示、および前記測定処理の結果を示す測定結果表示のうちの少なくとも１つの表示を外部装置の外部装置側表示部に表示させるための表示制御データを生成すると共に当該表示制御データを当該外部装置に送信することで当該外部装置側表示部に当該少なくとも１つの表示を表示させる表示制御処理を実行する測定装置側制御部とを備えた測定装置であって、前記測定装置側記憶部は、前記少なくとも１つの表示を構成する図柄、記号および文字のいずれかからなる複数の表示要素の画像の画像データと、前記画像データの画像、当該画像データの画像によって前記少なくとも１つの表示を表示させる際の前記外部装置側表示部における当該画像の表示位置、および当該表示位置に対して付与された表示位置識別符号を相互に関連付けた関連付けデータとを前記表示用データとして記憶すると共に、当該測定装置に対して付与された第１の装置識別符号、および当該測定装置と同じ前記少なくとも１つの表示を表示可能に構成された測定装置群に対して付与された第２の装置識別符号のいずれか一方の装置識別符号を記憶し、前記測定装置側制御部は、前記一方の装置識別符号を前記外部装置に送信すると共に、前記外部装置と通信可能な状態において前記表示用データの送信を許容する送信開始信号が当該外部装置から送信されたときに予め規定された送信開始条件が満たされたとして前記表示用データを当該外部装置に送信するデータ送信処理を実行し、前記表示制御処理において、前記少なくとも１つの表示を構成する前記表示要素の前記画像を特定すると共に、特定した当該画像の前記表示位置に対して付与された前記表示位置識別符号を特定可能な情報を前記表示制御データとして前記外部装置に送信する。
【００１７】
また、請求項４記載の携帯端末装置は、測定装置に設定されている動作条件を示す設定表示、前記測定装置の動作状態を示す動作状態表示、および前記測定装置による測定処理の結果を示す測定結果表示のうちの少なくとも１つの表示を表示可能な携帯端末側表示部と、表示用データを記憶する携帯端末側記憶部と、図柄、記号および文字のいずれかからなる複数の表示要素で構成される前記少なくとも１つの表示を前記表示用データおよび前記測定装置から送信される表示制御データに基づいて前記携帯端末側表示部に表示させる表示処理を実行する携帯端末側制御部とを備え、前記携帯端末側制御部は、前記複数の表示要素の画像を含む複数の画像の画像データと、前記画像データの画像、当該画像データの画像によって前記少なくとも１つの表示を表示させる際の携帯端末側表示部における当該画像の表示位置、および当該表示位置に対して付与された表示位置識別符号を相互に関連付けた関連付けデータとが前記表示用データとして前記測定装置から送信されたときに当該表示用データを前記携帯端末側記憶部に記憶させ、かつ前記表示処理において、前記測定装置から送信された前記表示制御データおよび前記表示用データに基づき、当該表示制御データに基づいて特定した前記表示位置識別符号に関連付けられている前記画像データの画像を当該表示位置識別符号が付与されている前記表示位置に表示させることで前記携帯端末側表示部に前記少なくとも１つの表示を表示させると共に、前記測定装置と通信可能な状態において予め規定された受信開始条件が満たされたときに、当該測定装置についての前記少なくとも１つの表示を表示可能な前記表示用データが前記携帯端末側記憶部に記憶されているか否かを判別し、当該表示用データが記憶されていないときに当該表示用データの送信を開始させる送信開始信号を前記測定装置に送信する。
【００１９】
また、請求項５記載の携帯端末装置は、請求項４記載の携帯端末装置において、前記携帯端末側制御部は、前記測定装置に対して付与された第１の装置識別符号、および前記測定装置と同じ前記少なくとも１つの表示を表示可能に構成された測定装置群に対して付与された第２の装置識別符号のいずれか一方の装置識別符号が当該測定装置から送信されたときに前記受信開始条件が満たされたと判別し、当該一方の装置識別符号に関連付けられている前記表示用データが前記携帯端末側記憶部に記憶されていないときには、前記送信開始信号を前記測定装置に送信すると共に当該測定装置から送信される前記表示用データを当該一方の装置識別符号に関連付けて当該携帯端末側記憶部に記憶させ、当該一方の装置識別符号に関連付けられている前記表示用データが前記携帯端末側記憶部に記憶されているときには、当該表示用データの送信が不要であることを報知する報知信号を前記測定装置に送信する。
【００２０】
また、請求項６記載の測定システムは、請求項１または２記載の測定装置と、前記外部装置としての請求項４記載の携帯端末装置とを備えて構成されている。
【００２１】
また、請求項７記載の測定システムは、請求項３記載の測定装置と、前記外部装置としての請求項５記載の携帯端末装置とを備えて構成されている。
【発明の効果】
【００２２】
請求項１から３記載の測定装置では、設定表示、動作状態表示および測定結果表示のうちの少なくとも１つの表示を表示させる外部装置側表示部を備えた外部装置（携帯端末装置）と通信可能な状態において予め規定された送信開始条件が満たされたときに、表示用データを外部装置に送信するデータ送信処理を実行し、表示制御処理において、上記の少なくとも１つの表示を構成する画像を特定すると共に、特定した画像の表示位置に対して付与された表示位置識別符号を特定可能な表示制御データを外部装置に送信する。また、請求項４記載の携帯端末装置では、測定装置から送信された表示用データを携帯端末側記憶部に記憶させると共に、表示処理において、測定装置から送信された表示制御データおよび表示用データに基づき、表示制御データに基づいて特定した表示位置識別符号に関連付けられている画像データの画像を表示位置識別符号が付与された表示位置に表示させることで携帯端末側表示部に上記の少なくとも１つの表示を表示させる。さらに、請求項６記載の測定システムでは、上記の測定装置と、外部装置としての上記の携帯端末装置とを備えて構成されている。
【００２３】
したがって、請求項１から３記載の測定装置、請求項４記載の携帯端末装置、および請求項６記載の測定システムによれば、複数種類の測定装置についての上記の少なくとも１つの表示をそれぞれ表示可能に複数種類の画像データを携帯端末装置（外部装置）に予め記憶させておくことなく、測定装置から携帯端末装置に画像データや表示位置のデータを含む表示用データを送信することで、上記の少なくとも１つの表示を携帯端末装置に表示させることができるため、少なくとも１つの表示を表示すべき測定装置用の表示用データだけを携帯端末装置に記憶させることで、携帯端末装置の貴重な記憶領域が不要に占有される事態を招くことなく、その携帯端末側表示部（外部装置側表示部）に少なくとも１つの表示を確実に表示することができる。
【００２４】
また、請求項１記載の測定装置によれば、７セグメント表示方式の文字における各セグメントの画像の画像データを測定装置側記憶部に記憶させ、そのような画像データを含む表示用データを外部装置に送信することで７セグメント表示方式の文字を含んで構成される上記の少なくとも１つの表示を外部装置側表示部に表示可能としたことにより、例えば、数字の「０」から「９」の１０種類の画像データを用いて「０」から「９」の１０種類の数字を表示させるのとは異なり、各セグメントの画像の７種類の画像データを外部装置に送信するだけで、「０」から「９」の１０種類の数字を表示させることができるため、画像データによって占有される測定装置側記憶部の記憶領域や、外部装置に送信するデータ量を十分に小さくすることができる。
【００２５】
また、請求項２記載の測定装置によれば、表示制御処理において、測定装置側表示部に表示させた表示要素に対応する画像の表示位置に付与された表示位置識別符号を特定可能な表示制御データを外部装置に送信することにより、上記の少なくとも１つの表示を測定装置側表示部に表示させるための表示制御データとは別個に、上記の少なくとも１つの表示を携帯端末装置側表示部に表示させるための表示制御データを生成しなくて済むため、少なくとも１つの表示を携帯端末側表示部に表示させる際に測定装置側制御部に加わる負担を十分に軽減することができる。
【００２６】
さらに、請求項４記載の携帯端末装置によれば、測定装置と通信可能な状態において予め規定された受信開始条件が満たされたときに、上記の少なくとも１つの表示を表示可能な表示用データが携帯端末側記憶部に記憶されているか否かを判別し、表示用データが記憶されていないときに表示用データの送信を開始させる送信開始信号を測定装置に送信することにより、表示用データが既に携帯端末側記憶部に記憶されている測定装置から同じ表示用データを送信させる不要なデータ送信処理が実行される事態を好適に回避することができると共に、上記の少なくとも１つの表示を表示させるのに必要な表示用データを携帯端末側記憶部に確実に記憶させて少なくとも１つの表示を確実に表示させることができる。
【００２７】
さらに、請求項３記載の測定装置では、データ送信処理に先立ち、一方の装置識別符号を外部装置に送信すると共に、表示用データの送信を許容する送信開始信号が外部装置から送信されたときに送信開始条件が満たされたとしてデータ送信処理を開始する。また、請求項５記載の携帯端末装置では、一方の装置識別符号が測定装置から送信されたときに、一方の装置識別符号に関連付けられている表示用データが携帯端末側記憶部に記憶されていないときには、送信開始信号を測定装置に送信すると共に測定装置から送信される表示用データを一方の装置識別符号に関連付けて携帯端末側記憶部に記憶させ、一方の装置識別符号に関連付けられている表示用データが携帯端末側記憶部に記憶されているときには、表示用データの送信が不要であることを報知する報知信号を測定装置に送信する。さらに、請求項７記載の測定システムでは、上記の測定装置と、外部装置としての上記の携帯端末装置とを備えて構成されている。
【００２８】
したがって、請求項３記載の測定装置、請求項５記載の携帯端末装置、および請求項７記載の測定システムによれば、上記の少なくとも１つの表示を表示可能な表示用データが携帯端末装置に記憶されているか否かを正確に判別させることができるため、表示用データが既に携帯端末側記憶部に記憶されている携帯端末装置に対して測定装置から同じ表示用データを送信させるという不要なデータ送信処理を確実に回避することができると共に、上記の少なくとも１つの表示を表示させるのに必要な表示用データを携帯端末側記憶部に確実に記憶させて少なくとも１つの表示を一層確実に表示させることができる。
【図面の簡単な説明】
【００２９】
【図１】測定システム１００の構成を示す構成図である。
【図２】測定システム１００における測定装置１およびスマートフォン２の外観図である。
【図３】測定装置１の表示部１３に表示される測定処理用画面３０ａ、およびスマートフォン２の表示部２３に表示される測定処理用画面３０ｂにおけるモニタ表示部３１の一例を示す表示画面図である。
【図４】画像データＧ０１〜Ｇ２２の一例について説明する説明図である。
【図５】画像データＧ０１〜Ｇ２２、座標Ｐ０１〜Ｐ５４および表示位置識別符号Ｃ０１〜Ｃ５４の関連付けの一例について説明するための説明図である。
【図６】測定処理用画面３０ａおよびモニタ表示部３１の他の一例を示す表示画面図である。
【図７】測定処理用画面３０ａおよびモニタ表示部３１のさらに他の一例を示す表示画面図である。
【発明を実施するための形態】
【００３０】
以下、測定装置、携帯端末装置および測定システムの実施の形態について、添付図面を参照して説明する。
【００３１】
図１，２に示す測定システム１００は、「測定システム」の一例であって、測定装置１およびスマートフォン２を備えて構成されている。この場合、「スマートフォン」は、広義には、ＰＤＡ（携帯情報端末）の機能を備えた携帯電話を意味するが、本明細書では、この広義の「スマートフォン」のうちの「各種プログラムのインストールによって、任意の機能を付加したり、端末の操作環境や表示環境等をカスタマイズしたりすることができるもの」を「スマートフォン」という。また、上記のスマートフォン２は、「外部装置」としての「携帯端末装置」の一例であって、既存の「スマートフォン」で構成されると共に、後述するように、測定装置１や、図示しない他の測定装置についての設定表示、動作状態表示および測定結果表示を表示させるための測定システム用プログラムＤｐがインストールされている。
【００３２】
測定装置１は、「測定装置」の一例であるクランプ式抵抗測定装置であって、図１に示すように、測定部１１、操作部１２、表示部１３、無線通信部１４、有線通信部１５、制御部１６およびメモリ１７を備えて構成されている。測定部１１は、制御部１６の制御に従い、クランプセンサ部１１ａ（図２参照）によってクランプした図示しない測定対象体の抵抗値を測定する「測定処理」を実行して、その測定値を制御部１６に出力する。操作部１２は、測定装置１の動作条件（測定条件）を設定操作するための複数の操作スイッチを備え、スイッチ操作に応じた操作信号を制御部１６に出力する。
【００３３】
表示部１３は、「測定装置側表示部」の一例であって、制御部１６の制御に従って後述する測定処理用画面３０ａ（図２参照）を表示する。この場合、本例の測定装置１における表示部１３は、一例として、測定部１１に対して設定されている測定条件（「動作条件」の一例）を示す設定表示、測定装置１の動作状態を示す動作状態表示、および測定部１１による測定処理の結果結果を示す測定結果表示などを表示可能な複数のセグメントを有する液晶表示器で構成されている。
【００３４】
具体的には、図３に示すように、表示部１３は、セグメントＳ１ａ〜Ｓ１ｇ，Ｓ２ａ〜Ｓ２ｇ，Ｓ３ａ〜Ｓ３ｇ，Ｓ４ａ〜Ｓ４ｇ，Ｓ５ａ〜Ｓ５ｇ，Ｓ６ａ〜Ｓ６ｇ，Ｓｄｐ２〜Ｓｄｐ４，ＳＯＨＭ，ＳＡ，Ｓｍ，ＳＦＩＬＴ，ＳＨＯＬＤ，ＳＢ０〜ＳＢ３（「図柄、記号および文字のいずれかからなる複数の表示要素」の一例：以下、これらを区別しないときには「セグメントＳ」ともいう）で構成される文字や記号および図柄によって、設定表示、動作状態表示および測定結果表示を表示する構成が採用されている。なお、同図、および後に参照する図６，７では、多数の符号が付されることで図面の視認が困難な状態となるのを回避するために、セグメントＳ２ａ〜Ｓ２ｇ，Ｓ３ａ〜Ｓ３ｇ，Ｓ５ａ〜Ｓ５ｇ，Ｓ６ａ〜Ｓ６ｇに関し、セグメントＳ２ｘ、Ｓ３ｘ，Ｓ５ｘ，Ｓ６ｘと表している。また、これらの表示要素以外に、図柄、記号および文字のいずれかからなる任意の表示要素を表示させることができる。
【００３５】
この場合、セグメントＳ１ａ〜Ｓ１ｇ，Ｓ２ａ〜Ｓ２ｇ，Ｓ３ａ〜Ｓ３ｇ，Ｓ４ａ〜Ｓ４ｇは、７セグメント表示方式の文字を構成する「表示要素」であって、測定処理の結果を示す測定結果表示の測定値における整数部分および小数部分の４つの数を示す際に任意のセグメントＳが選択されて表示される。また、セグメントＳ５ａ〜Ｓ５ｇ，Ｓ６ａ〜Ｓ６ｇは、７セグメント表示方式の文字を構成する「表示要素」であって、複数台の測定装置１を所有する利用者が、いずれの測定装置１を使用しているかを把握するために各測定装置１に付与する装置番号を表す１桁または２桁の数を示す際に任意のセグメントＳが選択されて表示される。さらに、セグメントＳｄｐ２〜Ｓｄｐ４は、小数点を示す「表示要素」であって、測定結果表示の測定値における小数点を表示させる際に任意のセグメントＳが選択されて表示される。
【００３６】
また、セグメントＳＯＨＭ，ＳＡ，Ｓｍは、測定結果の単位を示す「表示要素」であると共に、測定部１１が実行する測定処理の種類を示す「表示要素」であって、測定部１１に抵抗測定処理を実行させるように設定されているときにセグメントＳＯＨＭが選択されて表示され（「抵抗測定処理の実行」との動作条件が設定されていることを示す「設定表示」の一例）、測定部１１に電流測定処理を実行させるように設定されているときにセグメントＳＡやセグメントＳｍが選択されて表示されると共に（「電流測定処理の実行」との動作条件が設定されていることを示す「設定表示」の一例）、測定結果の表示に際しては、セグメントＳ１ａ〜Ｓ１ｇ，Ｓ２ａ〜Ｓ２ｇ，Ｓ３ａ〜Ｓ３ｇ，Ｓ４ａ〜Ｓ４ｇやセグメントＳｄｐ２〜Ｓｄｐ４と共に、表示すべき測定結果の単位に応じた任意のセグメントＳが選択されて表示される。
【００３７】
さらに、セグメントＳＦＩＬＴは、「動作状態表示」を構成する「表示要素」の一例であって、測定部１１による測定処理に際してフィルタ処理が実行されている旨を示す際に選択されて表示され、セグメントＳＨＯＬＤは、「動作状態表示」を構成する「表示要素」の他の一例であって、操作部１２のＨＯＬＤスイッチが操作されている旨を示す際に選択されて表示される。また、セグメントＳＢ０〜ＳＢ３は、「動作状態表示」を構成する「表示要素」のさらに他の一例であって、測定装置１のバッテリ残量を示す際に任意のセグメントＳが選択されて表示される。なお、本例の測定装置１では、後述するように、測定装置１の表示部１３に上記の各セグメントＳによって示される測定処理用画面３０ａと同じレイアウトで、この測定処理用画面３０ａに表示される情報と同じ情報を示すモニタ表示部３１（測定処理用画面３０ｂ：図２参照）をスマートフォン２に表示することができるように構成されている。
【００３８】
無線通信部１４は、一例として、ブルートゥース（Bluetooth ：登録商標）規格に準じた近距離無線通信を実行可能に構成されて、後述するようにスマートフォン２との間でペアリングされた状態において、スマートフォン２から送信された制御データＤ１などを受信して制御部１６に出力すると共に、制御部１６の制御に従って識別符号データＤ０、表示用データＤ２および表示制御データＤ４などをスマートフォン２に送信する。
【００３９】
有線通信部１５は、一例として、ＵＳＢ規格に準じた接続コネクタ（図示せず）を備えて、この接続コネクタに接続される信号ケーブル３（図１参照）を介してスマートフォン２と接続可能に構成されている。また、有線通信部１５は、信号ケーブル３を介してスマートフォン２と接続された状態において、スマートフォン２から送信された制御データＤ１などを受信して制御部１６に出力すると共に、制御部１６の制御に従って識別符号データＤ０、表示用データＤ２および表示制御データＤ４などをスマートフォン２に送信する。
【００４０】
制御部１６は、「測定装置側制御部」の一例であって、測定装置１を総括的に制御する。具体的には、制御部１６は、後述するように、無線通信部１４および有線通信部１５のいずれかを介してスマートフォン２と通信可能な状態となったときに、後述する識別符号データＤ０をスマートフォン２に送信する。また、制御部１６は、表示用データＤ２の送信開始を指示する制御データＤ１（「送信開始信号」の一例）がスマートフォン２から送信されたときに、「送信開始条件」が満たされたと判別して、メモリ１７に記憶されている表示用データＤ２をスマートフォン２に送信する「データ送信処理」を実行する。さらに、制御部１６は、操作部１２のスイッチ操作によって設定された測定条件（動作条件）などに従って測定部１１を制御して上記の「測定処理」を実行させる。
【００４１】
また、制御部１６は、設定されている動作条件（測定条件）、および測定装置１の動作状態や、測定部１１から出力される測定値等に基づき、表示部１３に測定処理用画面３０ａを表示させるための表示制御データＤ３を生成すると共に、生成した表示制御データＤ３に基づき、スマートフォン２にモニタ表示部３１（測定処理用画面３０ｂ：「少なくとも１つの表示」としての「設定表示」、「動作状態表示」および「測定結果表示」の一例）を表示させるための表示制御データＤ４（「表示制御データ」の一例）を生成する。さらに、制御部１６は、生成した表示制御データＤ３を表示部１３に出力して測定処理用画面３０ｂを表示させると共に、無線通信部１４または有線通信部１５を介して表示制御データＤ４をスマートフォン２に送信することでスマートフォン２にモニタ表示部３１を表示させる「表示制御処理」を実行する。
【００４２】
メモリ１７は、「測定装置側記憶部」の一例であって、制御部１６の動作プログラム、識別符号データＤ０および表示用データＤ２や、制御部１６によって生成される表示制御データＤ４などを記憶する。
【００４３】
一方、スマートフォン２は、前述したように測定システム用プログラムＤｐがインストールされた既存の「スマートフォン」で構成されている。具体的には、図１に示すように、スマートフォン２は、本体メモリ２１、操作部２２、表示部２３、無線通信部２４、有線通信部２５、制御部２６およびストレージメモリ装着部２７を備えて構成されている。なお、スマートフォン２における「携帯電話としての機能」や「ＰＤＡとしての機能」を実現するための構成要素については公知のため、図示および説明を省略する。
【００４４】
本体メモリ２１は、スマートフォン２の動作プログラムに加え、測定システム用プログラムＤｐ等の各種プログラム（利用者がインストールしたプログラム）や、後述するように測定装置１から送信される識別符号データＤ０、表示用データＤ２および表示制御データＤ４などを記憶する。なお、測定システム用プログラムＤｐ等のプログラムの一部や、識別符号データＤ０、表示用データＤ２および表示制御データＤ４については、ストレージメモリ装着部２７に装着されたストレージメモリＭに記憶させることもできる。
【００４５】
操作部２２は、図示しない電源スイッチなどの他に、表示部２３の表面側に配設されたタッチパネルを備えて構成されて、これらの操作に応じた操作信号を制御部２６に出力する。表示部２３は、「外部装置側表示部」としての「携帯端末側表示部」の一例であって、制御部２６の制御に従って各種の表示画面を表示する。この場合、この測定システム１００では、後述するようにスマートフォン２において測定システム用プログラムＤｐが実行されたときに、図２に示すように、測定処理用画面３０ｂが表示部２３に表示される。この測定処理用画面３０ｂは、前述したように測定装置１の表示部１３に表示される測定処理用画面３０ａと同じレイアウトで同じ情報を示すモニタ表示部３１（「少なくとも１つの表示」としての「設定表示」、「動作状態表示」および「測定結果表示」の一例）を表示させるための表示制御データＤ４（「表示制御データ」の一例）と、操作部２２におけるタッチパネルの操作によって各種の処理を実行するための操作スイッチ表示部３２とで構成されており、後述するように、測定装置１から送信される表示用データＤ２および表示制御データＤ４に基づいて表示される。
【００４６】
無線通信部２４は、測定装置１の無線通信部１４と同様にして、ブルートゥース規格に準じた近距離無線通信を実行可能に構成されて、後述するように、測定装置１との間でペアリングされた状態において、制御部２６の制御に従って測定装置１に制御データＤ１を送信すると共に、測定装置１から送信された識別符号データＤ０、表示用データＤ２および表示制御データＤ４を受信して制御部２６に出力する。
【００４７】
有線通信部２５は、測定装置１の有線通信部１５と同様にして、ＵＳＢ規格に準じた接続コネクタを備えて、この接続コネクタに接続される信号ケーブル３（図１参照）を介して測定装置１や図示しない各種の外部装置と接続可能に構成されている。この有線通信部２５は、信号ケーブル３を介して測定装置１と接続された状態において、制御部２６の制御に従って測定装置１に制御データＤ１を送信すると共に、測定装置１から送信された識別符号データＤ０、表示用データＤ２および表示制御データＤ４を受信して制御部２６に出力する。
【００４８】
制御部２６は、「携帯端末側制御部」の一例であって、スマートフォン２を総括的に制御する。具体的には、制御部２６は、一例として、測定システム用プログラムＤｐの記述に従い、測定装置１から識別符号データＤ０が送信されたときに、その識別符号データＤ０に関連付けられた表示用データＤ２が本体メモリ２１（または、ストレージメモリＭ）に記憶されているか否かを判別する。また、制御部２６は、識別符号データＤ０に関連付けられた表示用データＤ２が記憶されていないときに、表示用データＤ２の送信を開始させる制御データＤ１を測定装置１に対して送信する。さらに、制御部２６は、制御データＤ１に応じて測定装置１から送信される表示用データＤ２を識別符号データＤ０に関連付けて本体メモリ２１（または、ストレージメモリＭ）に記憶させる。また、制御部２６は、無線通信部２４または有線通信部２５を介して受信した表示制御データＤ４、および本体メモリ２１（または、ストレージメモリＭ）に記憶されている表示用データＤ２に基づいて測定処理用画面３０ｂ（モニタ表示部３１）を表示させる。
【００４９】
この場合、測定装置１（メモリ１７）に記憶されている識別符号データＤ０は、「第１の装置識別符号」の一例であって、測定装置１を識別可能に測定装置１に対して付与された固有の符号が記録されている。なお、本例の測定システム１００におけるスマートフォン２（測定システム用プログラムＤｐ）では、後述するように、測定装置１と同型の他の測定装置１や、測定装置１とは測定処理の内容等が相違する図示しない他の「測定装置（例えば、電圧計や電力計など）」による測定処理の結果を表示することが可能となっており、これらの「測定装置」に対しても固有の符号（第１の装置識別符号）が付与されて識別符号データＤ０が記憶されている。
【００５０】
また、表示用データＤ２は、「表示用データ」の一例であって、測定装置１の測定処理用画面３０ａと同じモニタ表示部３１をスマートフォン２に表示させるための各種のデータが記録されて構成されている。具体的には、表示用データＤ２は、画像データＧ０１〜Ｇ２２（図４参照：以下、区別しないときには「画像データＧ」ともいう）と、関連付けデータＤｒ（図５参照）とで構成されている。
【００５１】
この場合、図４に示すように、画像データＧ０１，Ｇ０２・・Ｇ２２は、モニタ表示部３１におけるセグメントＳ１ａ，Ｓ１ｂ・・ＳＢ１〜ＳＢ３の画像を記録した「画像データ」で構成されている。なお、同図における各画像データＧの画像において網線で塗り潰した領域（各「セグメント」を模した像の周囲の領域）は、モニタ表示部３１の表示に際して「透明色」で表示される領域を表している。
【００５２】
また、関連付けデータＤｒは、画像データＧの画像と、画像データＧの画像によってモニタ表示部３１（測定処理用画面３０ｂ）を表示させる際の表示部２３における画像の表示位置（図５に示す座標Ｐ０１〜Ｐ５４：以下、区別しないときには「座標Ｐ」ともいう）と、画像の表示位置に対して付与された表示位置識別符号Ｃ０１〜Ｃ５４（図５参照：以下、区別しないときには「表示位置識別符号Ｃ」ともいう）とを相互に関連付ける情報で構成されている。
【００５３】
この場合、座標Ｐ０１，Ｐ０２・・Ｐ５４は、画像データＧ０１の画像（セグメントＳ１ａの画像）、画像データＧ０２の画像（セグメントＳ１ｂの画像）・・画像データＧ２２の画像（セグメントＳＢ３の画像）を表示すべき表示位置（測定処理用画面３０ｂ内での表示座標）をそれぞれ示している。なお、本例の表示用データＤ２では、一例として、各画像データＧの画像における左上角部を位置させるべき表示部２３上の座標（表示部２３における左上角部を原点とする座標）が座標Ｐとして関連付けデータＤｒに記録されている。
【００５４】
また、測定装置１に測定処理用画面３０ａを表示させ、スマートフォン２に測定処理用画面３０ａを模したモニタ表示部３１を表示させる本例では、セグメントＳ１ａ〜Ｓ４ａが同じ形状の「セグメント」で構成され、セグメントＳ１ｂ〜Ｓ４ｂが同じ形状の「セグメント」で構成され、セグメントＳ１ｃ〜Ｓ４ｃが同じ形状の「セグメント」で構成され、セグメントＳ１ｄ〜Ｓ４ｄが同じ形状の「セグメント」で構成され、セグメントＳ１ｅ〜Ｓ４ｅが同じ形状の「セグメント」で構成され、セグメントＳ１ｆ〜Ｓ４ｆが同じ形状の「セグメント」で構成され、セグメントＳ１ｇ〜Ｓ４ｇが同じ形状の「セグメント」で構成され、セグメントＳｄｐ２〜Ｓｄｐ４が同じ形状の「セグメント」で構成され、かつセグメントＳＢ１〜ＳＢ３が同じ形状の「セグメント」で構成されている。
【００５５】
したがって、本例の関連付けデータＤｒでは、図５に示すように、セグメントＳ１ａをモニタ表示部３１に表示させるための画像データＧ０１（座標Ｐ０１に表示する画像の画像データＧ）を共用して、同じ形状のセグメントＳ２ａなどをモニタ表示部３１に表示させ、かつ、セグメントＳ１ｂをモニタ表示部３１に表示させるための画像データＧ０２（座標Ｐ０２に表示する画像の画像データＧ）を共用して、同じ形状のセグメントＳ２ｂなどをモニタ表示部３１に表示させると共に、セグメントＳＢ１をモニタ表示部３１に表示させるための画像データＧ２２（座標Ｐ５２に表示する画像の画像データＧ）を共用して、同じ形状のセグメントＳＢ２などをモニタ表示部３１に表示させるように記述されている。これにより、本例の表示用データＤ２では、セグメントＳの数と同じ数の画像データＧを記録した「表示用データ」と比較して、そのサイズが十分に小さくなっている。
【００５６】
さらに、表示位置識別符号Ｃ０１，Ｃ０２・・Ｃ５４は、座標Ｐ０１の表示位置に付与された識別符号、座標Ｐ０２の表示位置に付与された識別符号、・・座標Ｐ５４の表示位置に付与された識別符号で構成されている。なお、本例では、発明についての理解を容易とするために、各「表示位置」に付与された「表示位置識別符号」を「［０１］から始まる昇順の算用数字」で表しているが、付与すべき「識別符号」はこれに限定されず、各「表示位置毎に固有の符号」であれば、任意の符号を付与することができる。
【００５７】
また、スマートフォン２にインストールされる測定システム用プログラムＤｐは、上記の測定装置１や、測定装置１と同型の他の測定装置１、および測定装置１とは測定処理が相違する他の「測定装置」などの各種の「測定装置」による測定処理の結果を表示するための共通プログラムであって、各「測定装置」において共通的に実行すべき処理についての手順が記述されている。
【００５８】
具体的には、測定システム用プログラムＤｐには、「測定装置」から識別符号データＤ０が送信されたときに、その識別符号データＤ０に関連付けられた表示用データＤ２が本体メモリ２１（または、ストレージメモリＭ）に記憶されているか否かを判別する処理、識別符号データＤ０に関連付けられた表示用データＤ２が記憶されているときに、表示用データＤ２の送信が不要であることを報知する制御データＤ１を「測定装置」に送信する処理、識別符号データＤ０に関連付けられた表示用データＤ２が記憶されていないときに、表示用データＤ２の送信開始を指示する制御データＤ１を「測定装置」に送信する処理、「測定装置」から表示用データＤ２が送信されたときに、その表示用データＤ２を識別符号データＤ０に関連付けて本体メモリ２１（または、ストレージメモリＭ）に記憶させる処理、および本体メモリ２１（または、ストレージメモリＭ）に記憶させた表示用データＤ２と「測定装置」から送信される表示制御データＤ４とに基づき、表示制御データＤ４に記録されている表示位置識別符号Ｃに対応する座標Ｐに、その座標Ｐの表示位置に関連付けられている画像データＧの画像を表示させることで上記のモニタ表示部３１を表示部２３に表示させる処理などの各種の処理の実行手順が記述されている。
【００５９】
この場合、本例の測定システム１００では、後述するように、モニタ表示部３１を構成する各表示要素（各セグメントＳ）の画像データＧや、その画像データＧの画像を表示すべき表示位置の座標Ｐなどを含む表示用データＤ２が測定装置１からスマートフォン２に送信される。したがって、この測定システム１００においてスマートフォン２にインストールされる測定システム用プログラムＤｐでは、出願人が上記の特許文献に開示している測定システムのスマートフォンにインストールされている測定システム用プログラムとは異なり、モニタ表示部３１の各セグメントＳを表示するための画像データＧや、画像データＧの画像を表示すべき表示位置の座標Ｐのデータなどが存在しない分だけ、従来の測定システム用プログラムよりも十分に小さなサイズとなっている。なお、この測定システム用プログラムＤｐについては、一例として、インターネット内の任意のサイトからダウンロードして使用するようにしたり、「測定装置」の附属品としてインストール用光ディスクを提供したりすることができる。
【００６０】
この測定システム１００の使用に際しては、まず、スマートフォン２に測定システム用プログラムＤｐをインストールする。なお、測定システム用プログラムＤｐのインストール作業に関しては、「スマートフォンに対する各種プログラムのインストール作業」と同様のため、詳細な説明を省略する。次いで、測定装置１とスマートフォン２との間においてブルートゥースのペアリングを行う。なお、ペアリング作業に関しては、公知の各種ブルートゥース機器のペアリング作業と同様のため、詳細な説明を省略する。
【００６１】
この際に、本例の測定システム１００では、一例として、上記のようなペアリング作業が完了して測定装置１とスマートフォン２との間の無線通信が可能な状態となり、その状態でスマートフォン２において測定システム用プログラムＤｐが起動されたときや、測定装置１の有線通信部１５とスマートフォン２の有線通信部２５とが信号ケーブル３によって相互に接続されて両者間の有線通信が可能な状態となり、その状態でスマートフォン２において測定システム用プログラムＤｐが起動されたときに、測定装置１の制御部１６が、無線通信部１４または有線通信部１５を介してスマートフォン２に識別符号データＤ０を送信する。
【００６２】
この場合、ペアリング作業が完了して無線通信部１４，２４の間における無線通信が可能な状態となった本例では、スマートフォン２において測定システム用プログラムＤｐが起動されたときに、測定装置１の無線通信部１４からスマートフォン２に識別符号データＤ０が送信される。一方、スマートフォン２では、識別符号データＤ０が無線通信部２４によって受信されたときに（「測定装置と通信可能な状態において予め規定された受信開始条件が満たされたとき」の一例）、制御部２６が、測定システム用プログラムＤｐの記述に従い、その識別符号データＤ０を本体メモリ２１（または、ストレージメモリＭ）に記憶させると共に、記憶させた識別符号データＤ０の符号に関連付けられた表示用データＤ２（「設定表示、動作状態表示および測定結果表示のうちの少なくとも１つの表示を表示可能な表示用データ」の一例）が本体メモリ２１（または、ストレージメモリＭ）に記憶されているか否かを判別する。
【００６３】
この際に、測定装置１とのブルートゥースのペアリングを行った直後（後述するように、測定装置１の測定処理用画面３０ａと同じモニタ表示部３１を含んだ測定処理用画面３０ｂの表示等を行っていない状態）の本例では、測定装置１から送信された識別符号データＤ０の符号に関連付けられた表示用データＤ２（測定装置１の測定処理用画面３０ａと同様のモニタ表示部３１を表示可能な表示用データＤ２）が本体メモリ２１やストレージメモリＭに記憶されていない。このため、制御部２６は、表示用データＤ２の送信開始を指示する制御データＤ１（「送信開始信号」の一例）を無線通信部２４から測定装置１する。
【００６４】
これに応じて、測定装置１では、無線通信部１４によって制御データＤ１が受信されたときに（「外部装置と通信可能な状態において予め規定された送信開始条件が満たされたとき」の一例）、制御部１６が、上記の「データ送信処理」を開始し、メモリ１７から表示用データＤ２を読み出して無線通信部１４からスマートフォン２に送信させる。また、スマートフォン２では、制御部２６が、測定システム用プログラムＤｐの記述に従い、無線通信部２４によって受信された表示用データＤ２を、直前に測定装置１から送信された識別符号データＤ０に関連付けて本体メモリ２１（または、ストレージメモリＭ）に記憶させる。これにより、スマートフォン２においてモニタ表示部３１を表示させる準備が整い、測定システム１００を使用することができる状態となる。このような作業を実際の測定作業に先立って実行しておくことにより、測定作業時には、後述するように、測定装置１とスマートフォン２との間の通信（無線通信および有線通信のいずれか）を確立するだけで、測定装置１による測定結果をスマートフォン２に表示させることが可能となる。
【００６５】
一方、測定システム１００を使用して測定対象体についての測定処理を実施するには、一例として、測定装置１の操作部１２を制御して測定処理の条件を設定すると共に、クランプセンサ部１１ａによって測定対象体をクランプする。次いで、操作部１２のスタートスイッチが操作されたときに、制御部１６が、設定された測定条件（動作条件）に従って測定部１１を制御して測定処理を開始させ、測定部１１が、クランプセンサ部１１ａによってクランプされている測定対象体の抵抗値を測定して、その測定値を制御部１６に出力する。
【００６６】
これに応じて、制御部１６は、設定されている測定条件（動作条件）、および測定装置１の動作状態や、測定部１１から出力された測定値に基づき、各セグメントＳのうちのいずれのセグメントＳを表示させ、かつ、いずれのセグメントＳを非表示とするかを特定して表示制御データＤ３を生成する。また、制御部１６は、生成した表示制御データＤ３を表示部１３に出力することにより、図２に示すように、設定されている測定条件（動作条件）、測定装置１の動作状態、および測定対象体についての抵抗値を示す測定処理用画面３０ａを表示させる。
【００６７】
この場合、本例の測定システム１００では、前述したように、測定装置１の表示部１３に表示させている測定処理用画面３０ａと同様のモニタ表示部３１を含んだ測定処理用画面３０ｂをスマートフォン２の表示部２３に表示させることが可能となっている。具体的には、測定処理用画面３０ｂをスマートフォン２（表示部２３）に表示させる際には、一例として、測定装置１による測定処理を継続させた状態において、スマートフォン２の操作部２２を操作することで無線通信部２４をオン状態（通信可能な状態）とする。これにより、前述したペアリング作業によってペアリングされた測定装置１の無線通信部１４とスマートフォン２の無線通信部２４とが相互に通信可能な状態となる。次いで、操作部２２を操作して、測定システム用プログラムＤｐを起動させる。
【００６８】
この際に、測定装置１では、前述したように、無線通信部１４，２４の間の無線通信が可能となってスマートフォン２において測定システム用プログラムＤｐが起動されたときに、制御部１６が、無線通信部１４を介してスマートフォン２に識別符号データＤ０を送信する。また、本例では、ペアリグ作業の後に上記したように測定装置１から送信された表示用データＤ２が識別符号データＤ０に関連付けられて本体メモリ２１（または、ストレージメモリＭ）に記憶されているため、スマートフォン２の制御部２６は、送信された識別符号データＤ０に関連付けられている表示用データＤ２が本体メモリ２１（または、ストレージメモリＭ）に記憶されていると判別する（「一方の装置識別符号に関連付けられている表示用データが携帯端末側記憶部に記憶されているとき」の一例）。この際に、制御部２６は、表示用データＤ２の送信が不要であることを報知する制御データＤ１（「報知信号」の一例）を測定装置１に送信する。これにより、同じ測定装置１から同じ表示用データＤ２が複数回送信される不要な「データ送信処理」が実行される事態が回避される。
【００６９】
また、制御部２６は、測定システム用プログラムＤｐに従い、無線通信部２４を制御して測定装置１に対して表示制御データＤ４の送信開始を要求する制御データＤ１を送信させる。一方、測定装置１では、無線通信部１４によって表示制御データＤ４の送信を要求する制御データＤ１が受信されたときに、制御部１６が、表示部１３に測定処理用画面３０ａを表示させるために生成した上記の表示制御データＤ３に基づいて表示制御データＤ４を生成し、生成した表示制御データＤ４を無線通信部１４からスマートフォン２に送信させる。
【００７０】
この際に、図６に示すように、一例として、抵抗測定処理を実行するように設定されていることを示す「Ω」との記号で構成された「設定表示」と、測定結果における測定値を示す「１０３．９」との文字、および測定値が抵抗値であることを示す「Ω」との記号で構成された「測定結果表示」と、測定部１１のバッテリ残量を示す電池マーク（この例では、バッテリ残量が十分である旨を示す図柄）、および測定部１１に付与された装置番号を示す「１６」との文字で構成された「動作状態表示」とが測定装置１における表示部１３の測定処理用画面３０ａに表示されているときには、セグメントＳ４ｂ，Ｓ４ｃ，Ｓ３ａ〜Ｓ３ｆ，Ｓ２ａ〜Ｓ２ｄ，Ｓ２ｇ，Ｓｄｐ２，Ｓ１ａ〜Ｓ１ｄ，Ｓ１ｆ，Ｓ１ｇ，ＳＯＨＭ，ＳＢ０〜ＳＢ３，Ｓ５ａ，Ｓ５ｃ〜Ｓ５ｇ，Ｓ６ｂ，Ｓ６ｃを表示させ、他のセグメントＳを非表示とするように指示する表示制御データＤ３が生成されている。
【００７１】
したがって、制御部１６は、そのような表示制御データＤ３に基づいて、測定処理用画面３０ａと同様のモニタ表示部３１をスマートフォン２（表示部２３）に表示させる表示制御データＤ４を生成する。なお、スマートフォン２に対して送信する最初の表示制御データＤ４については、各セグメントＳのうちのいずれのセグメントＳに対応する画像を表示させ、かついずれのセグメントＳに対応する画像を非表示とするかをそれぞれ特定可能とするために、各セグメントＳに対応するすべての画像について、表示／非表示のいずれとするかを指示する情報（「特定した画像の表示位置に対応する表示位置識別符号を特定可能な情報」の一例）が記録される。
【００７２】
一方、スマートフォン２では、測定装置１から送信された表示制御データＤ４が無線通信部２４によって受信されたときに、制御部２６が、表示制御データＤ２，Ｄ４に基づき、前述したように測定装置１の表示部１３（測定処理用画面３０ａ）に表示されている「設定表示」、「測定結果表示」および「動作状態表示」と同じ表示を表示部２３の測定処理用画面３０ｂに表示させる。具体的には、制御部２６は、まず、表示制御データＤ４に基づき、表示用データＤ２に記録されている各座標Ｐの表示位置のうちのいずれの表示位置に画像データＧの画像を表示すべきかを特定する。次いで、制御部２６は、特定した表示位置に付与されている表示位置識別符号Ｃを特定すると共に、特定した表示位置識別符号Ｃの座標Ｐの表示位置に、特定した表示位置識別符号Ｃに関連付けられている画像データＧの画像をそれぞれ表示させる。
【００７３】
これにより、図６に示すように、セグメントＳ４ｂ，Ｓ４ｃ，Ｓ３ａ〜Ｓ３ｆ，Ｓ２ａ〜Ｓ２ｄ，Ｓ２ｇ，Ｓｄｐ２，Ｓ１ａ〜Ｓ１ｄ，Ｓ１ｆ，Ｓ１ｇ，ＳＯＨＭ，ＳＢ０〜ＳＢ３，Ｓ５ａ，Ｓ５ｃ〜Ｓ５ｇ，Ｓ６ｂ，Ｓ６ｃが表示状態となり、かつ他のセグメントＳが非表示状態となって、測定装置１の表示部１３に表示されている測定処理用画面３０ａと同様にして、抵抗測定処理を実行するように設定されていることを示す「Ω」との記号で構成された「設定表示」と、測定結果における測定値を示す「１０３．９」との文字、および測定値が抵抗値であることを示す「Ω」との記号で構成された「測定結果表示」と、測定部１１のバッテリ残量を示す電池マーク、および測定部１１に付与された装置番号を示す「１６」との文字で構成された「動作状態表示」とが測定処理用画面３０ｂのモニタ表示部３１内に表される。
【００７４】
また、一例として、測定装置１の測定部１１による測定結果が「１０３．９Ω」から「１０３．８Ω」に変化したときに、測定装置１では、図７に示すように、一例として、抵抗測定処理を実行するように設定されていることを示す「Ω」との記号で構成された「設定表示」と、測定結果における測定値を示す「１０３．８」との文字、および測定値が抵抗値であることを示す「Ω」との記号で構成された「測定結果表示」と、測定部１１のバッテリ残量を示す電池マーク（この例では、バッテリ残量が十分である旨を示す図柄）、および測定部１１に付与された装置番号を示す「１６」との文字で構成された「動作状態表示」とが表示部１３の測定処理用画面３０ａに表示されている。このような測定処理用画面３０ａが表示されているときには、セグメントＳ４ｂ，Ｓ４ｃ，Ｓ３ａ〜Ｓ３ｆ，Ｓ２ａ〜Ｓ２ｄ，Ｓ２ｇ，Ｓｄｐ２，Ｓ１ａ〜Ｓ１ｇ，ＳＯＨＭ，ＳＢ０〜ＳＢ３，Ｓ５ａ，Ｓ５ｃ〜Ｓ５ｇ，Ｓ６ｂ，Ｓ６ｃを表示させ、他のセグメントＳを非表示とするように指示する表示制御データＤ３が生成されている。
【００７５】
したがって、制御部１６は、そのような表示制御データＤ３に基づいて、測定処理用画面３０ａと同様のモニタ表示部３１をスマートフォン２（表示部２３）に表示させる表示制御データＤ４を生成する。なお、スマートフォン２に対して送信する２回目以降の表示制御データＤ４については、直前に送信した表示制御データＤ４によって表示させるように指示した画像のうちの非表示とすべき画像と、および直前に送信した表示制御データＤ４によって非表示とするように指示した画像のうちの表示すべき画像とを特定可能な情報（「特定した画像の表示位置に対応する表示位置識別符号を特定可能な情報」の他の一例）だけが記録される。具体的には、「１０３．９Ω」との測定結果を表示させるための表示制御データＤ４に続いて「１０３．８Ω」との測定結果を表示させるための表示制御データＤ４を送信する際には、直前に送信した表示制御データＤ４（「１０３．９Ω」との測定結果のデータ）において非表示とするように指示した画像データＧ０５の画像（セグメントＳ１ｅの画像）を表示するように指示する情報が表示制御データＤ４として記録される。
【００７６】
一方、スマートフォン２では、測定装置１から送信された表示制御データＤ４が無線通信部２４によって受信されたときに、制御部２６が、表示制御データＤ２，Ｄ４に基づき、「設定表示」、「測定結果表示」および「動作状態表示」を表示部２３の測定処理用画面３０ｂに表示させる。これにより、図７に示すように、セグメントＳ４ｂ，Ｓ４ｃ，Ｓ３ａ〜Ｓ３ｆ，Ｓ２ａ〜Ｓ２ｄ，Ｓ２ｇ，Ｓｄｐ２，Ｓ１ａ〜Ｓ１ｇ，ＳＯＨＭ，ＳＢ０〜ＳＢ３，Ｓ５ａ，Ｓ５ｃ〜Ｓ５ｇ，Ｓ６ｂ，Ｓ６ｃが表示状態となり、かつ他のセグメントＳが非表示状態となって、測定装置１の表示部１３に表示されている測定処理用画面３０ａと同様にして、抵抗測定処理を実行するように設定されていることを示す「Ω」との記号で構成された「設定表示」と、測定結果における測定値を示す「１０３．８」との文字、および測定値が抵抗値であることを示す「Ω」との記号で構成された「測定結果表示」と、測定部１１のバッテリ残量を示す電池マーク、および測定部１１に付与された装置番号を示す「１６」との文字で構成された「動作状態表示」とが測定処理用画面３０ｂのモニタ表示部３１内に表される。この後、測定装置１からスマートフォン２に新たな表示制御データＤ４が送信される都度、測定装置１の表示部１３に表示されている測定処理用画面３０ａと同様のモニタ表示部３１がスマートフォン２の表示部２３（測定処理用画面３０ｂ）に表示される。
【００７７】
なお、上記の例とは相違するが、スマートフォン２の本体メモリ２１（または、ストレージメモリＭ）に表示用データＤ２が記憶されている状態で、スマートフォン２において測定システム用プログラムＤｐが起動され、かつ「測定処理」が開始されていない測定装置１の無線通信部１４とスマートフォン２の無線通信部２４との間の無線通信が確立した状態となったときには、一例として、測定装置１からスマートフォン２に対して、セグメントＳＯＨＭ、およびセグメントＳＢ０〜ＳＢ３の表示を指示する表示制御データＤ４が送信される。これにより、スマートフォン２の表示部２３に、抵抗測定処理を実行するように設定されていることを示す「設定表示」としてのセグメントＳＯＨＭで構成された「Ω」との記号、およびバッテリ残量が十分であることを示す「動作状態表示」としてのセグメントＳＢ０〜ＳＢ３で構成された図柄が表示される（図示せず）。
【００７８】
また、詳細な説明を省略するが、前述したような測定処理を完了した後に、測定装置１によって２回目以降の測定処理が行われたときにも、その測定結果などをスマートフォン２の表示部２３（測定処理用画面３０ｂ）に表示させることができる。この際には、前述したように、モニタ表示部３１を表示させるための表示用データＤ２が１回目の測定処理に先立って測定装置１からスマートフォン２に送信されて本体メモリ２１（または、ストレージメモリＭ）に記憶されているため、測定装置１からスマートフォン２に表示制御データＤ４を送信するだけで、上記のモニタ表示部３１の表示時と同様にして、２回目以降の測定処理時に設定されている動作条件（測定条件）および動作状態や、測定処理の結果をスマートフォン２に表示させることができる。
【００７９】
一方、測定装置１とは種類が相違する他の「測定装置」の測定結果等をスマートフォン２に表示させる際には、前述したように測定装置１からスマートフォン２に表示用データＤ２を送信したときと同様にして、その「測定装置」からスマートフォン２に、表示用データＤ２を送信させることで、その「測定装置」の「測定処理用画面」と同じレイアウトで同じ情報をスマートフォン２の表示部２３に表示させることができる（図示せず）。
【００８０】
このように、この測定装置１では、「少なくとも１つの表示」（本例では、「設定表示」、「動作状態表示」および「測定結果表示」のすべて）としてのモニタ表示部３１を表示させる表示部２３を備えたスマートフォン２と通信可能な状態において予め規定された「送信開始条件」が満たされたとき（本例では、スマートフォン２から表示用データＤ２の送信を開始する旨の制御データＤ１が送信されたとき）に、表示用データＤ２をスマートフォン２に送信する「データ送信処理」を実行し、「表示制御処理」において、モニタ表示部３１を構成する画像を特定すると共に、特定した画像の表示位置に付与された表示位置識別符号Ｃを特定可能な表示制御データＤ４をスマートフォン２に送信する。また、このスマートフォン２では、測定システム用プログラムＤｐの記述に従い、測定装置１から送信された表示用データＤ２を本体メモリ２１（または、ストレージメモリＭ）に記憶させると共に、「表示処理」において、測定装置１から送信された表示制御データＤ４および表示用データＤ２に基づき、表示制御データＤ４に基づいて特定した表示位置識別符号Ｃに関連付けられている画像データＧの画像を表示位置識別符号Ｃが付与されている表示位置に表示させることで表示部２３にモニタ表示部３１を表示させる。さらに、この測定システム１００では、上記の測定装置１およびスマートフォン２を備えて構成されている。
【００８１】
したがって、この測定装置１、スマートフォン２および測定システム１００によれば、複数種類の「測定装置」についての上記の「少なくとも１つの表示」をそれぞれ表示可能に複数種類の画像データＧをスマートフォン２に予め記憶させておくことなく、測定装置１からスマートフォン２に画像データＧや座標Ｐのデータを含む表示用データＤ２を送信することで、測定装置１についてのモニタ表示部３１をスマートフォン２に表示させることができるため、「少なくとも１つの表示」を表示すべき測定装置１用の表示用データＤ２だけをスマートフォン２に記憶させることで、スマートフォン２の貴重な記憶領域が不要に占有される事態を招くことなく、スマートフォン２の表示部２３に「少なくとも１つの表示」を確実に表示することができる。
【００８２】
また、この測定装置１、スマートフォン２および測定システム１００によれば、７セグメント表示方式の文字における各セグメントＳの画像の画像データＧをメモリ１７に記憶させ、そのような画像データＧを含む表示用データＤ２をスマートフォン２に送信することで７セグメント表示方式の文字を含んで構成されるモニタ表示部３１を表示部２３に表示可能としたことにより、例えば、数字の「０」から「９」の１０種類の画像データを用いて「０」から「９」の１０種類の数字を表示させるのとは異なり、各セグメントＳの画像の７種類の画像データＧ（本例では、画像データＧ０１〜Ｇ０７）をスマートフォン２に送信するだけで、「０」から「９」の１０種類の数字を表示させることができるため、画像データＧによって占有されるメモリ１７の記憶領域や、スマートフォン２に送信するデータ量（表示用データＤ２のデータサイズ）を十分に小さくすることができる。
【００８３】
また、この測定装置１、スマートフォン２および測定システム１００によれば、測定装置１が、「表示制御処理」において、表示部１３に表示させたセグメントＳに対応する画像の表示位置に関連付けられている表示位置識別符号Ｃを特定可能な表示制御データＤ４をスマートフォン２に送信することにより、表示部１３に測定処理用画面３０ａを表示させるための表示制御データＤ３とは別個に、スマートフォン２の表示部２３にモニタ表示部３１（測定処理用画面３０ｂ）を表示させるための「表示制御データ」を生成しなくて済むため、スマートフォン２の表示部２３に「少なくとも１つの表示（モニタ表示部３１）」を表示させる際に制御部１６に加わる負担を十分に軽減することができる。
【００８４】
さらに、この測定装置１、スマートフォン２および測定システム１００によれば、スマートフォン２が、測定装置１と通信可能な状態において予め規定された「受信開始条件」が満たされたときに、測定装置１による測定結果を示すモニタ表示部３１を表示可能な表示用データＤ２が本体メモリ２１（または、ストレージメモリＭ）に記憶されているか否かを判別し、表示用データＤ２が記憶されていないときに表示用データＤ２の送信を開始させる制御データＤ１を測定装置１に送信することにより、表示用データＤ２が既に本体メモリ２１（または、ストレージメモリＭ）に記憶されている測定装置１から同じ表示用データＤ２を送信させる不要な「データ送信処理」が実行される事態を好適に回避することができると共に、モニタ表示部３１の表示に必要な表示用データＤ２をスマートフォン２の本体メモリ２１（または、ストレージメモリＭ）に確実に記憶させてモニタ表示部３１を確実に表示させることができる。
【００８５】
さらに、この測定装置１では、「データ送信処理」に先立ち、識別符号データＤ０をスマートフォン２に送信すると共に、表示用データＤ２の送信を許容する制御データＤ１がスマートフォン２から送信されたときに「送信開始条件」が満たされたとして「データ送信処理」を開始する。また、このスマートフォン２では、識別符号データＤ０が測定装置１から送信されたときに、識別符号データＤ０に関連付けられている表示用データＤ２が本体メモリ２１（または、ストレージメモリＭ）に記憶されていないときには、表示用データＤ２の送信を開始させる制御データＤ１を測定装置１に送信すると共に測定装置１から送信される表示用データＤ２を識別符号データＤ０に関連付けて本体メモリ２１（または、ストレージメモリＭ）に記憶させ、識別符号データＤ０に関連付けられている表示用データＤ２が本体メモリ２１（または、ストレージメモリＭ）に記憶されているときには、表示用データＤ２の送信が不要であることを報知する制御データＤ１を測定装置１に送信する。さらに、この測定システム１００では、上記の測定装置１およびスマートフォン２を備えて構成されている。
【００８６】
したがって、この測定装置１、スマートフォン２および測定システム１００によれば、測定装置１についての「設定表示」、「動作状態表示」および「測定結果表示」（モニタ表示部３１）を表示可能な表示用データＤ２がスマートフォン２に記憶されているか否かを正確に判別させることができるため、表示用データＤ２が既に本体メモリ２１（または、ストレージメモリＭ）に記憶されているスマートフォン２に対して測定装置１から同じ表示用データＤ２を送信させるという不要な「データ送信処理」を確実に回避することができると共に、モニタ表示部３１の表示に必要な表示用データＤ２をスマートフォン２の本体メモリ２１（または、ストレージメモリＭ）に確実に記憶させてモニタ表示部３１を一層確実に表示させることができる。
【００８７】
なお、測定装置、携帯端末装置および測定システムの構成は、上記の例示に限定されない。例えば、７セグメント表示方式の文字における各セグメントＳの画像の画像データＧ０１〜Ｇ０７を含む表示用データＤ２をスマートフォン２に送信する構成を例に挙げて説明したが、上記の画像データＧ０１〜Ｇ０７に代えて、「０」から「９」の１０種類の数字が描かれた１０個の「画像データ」を含ませた「表示用データ」を「外部装置」としての「携帯端末装置」に送信することで「０」から「９」の１０種類の数字を含む「測定結果表示」を表示させる構成を採用することもできる（図示せず）。
【００８８】
また、「データ送信処理」の開始に先立ち、「第１の装置識別符号」の一例である識別符号データＤ０を測定装置１からスマートフォン２に送信し、スマートフォン２において、送信された識別符号データＤ０に関連付けられた表示用データＤ２が本体メモリ２１（または、ストレージメモリＭ）に記憶されているか否かを判別する構成を例に挙げて説明したが、上記の識別符号データＤ０に代えて、測定装置１と同じモニタ表示部３１を表示可能に構成された測定装置群（測定装置１の表示部１３における各セグメントＳと同様のセグメントＳによって「設定表示」、「動作状態表示」および「測定結果表示」を表示するタイプの各種の測定装置）に対して共通的に付与された「第２の装置識別符号」を記録した識別符号データをスマートフォン２に送信し、スマートフォン２において、送信された識別符号データに関連付けられた表示用データＤ２が本体メモリ２１（または、ストレージメモリＭ）に記憶されているか否かを判別する構成を採用することもできる。このような構成を採用することで、「第２の装置識別符号」に関連付けられた表示用データＤ２がスマートフォン２の本体メモリ２１（または、ストレージメモリＭ）に既に記憶されているときに、その「第２の装置識別符号」が付与された他の測定装置に対して、同じ表示用データＤ２を送信させるという不要な「データ送信処理」が実行される事態を確実に回避することができる。
【００８９】
また、ブルートゥース規格に準じた近距離無線通信を実行可能な無線通信部１４を有する測定装置１を備えた測定システム１００を例に挙げて説明したが、この構成に代えて、または、この構成に加えて、無線ＬＡＮに接続可能な無線通信部、ＩｒＤＡ規格に準じた赤外線通信を実行可能な無線通信部、およびＺｉｇＢｅｅ（登録商標）規格に準じた近距離無線通信が可能な無線通信部（いずれも図示せず）を有する「測定装置」や「携帯端末装置」を備えて「測定システム」を構成することもできる。このような構成を採用した場合においても、上記の測定システム１００と同様の効果を奏することができる。
【００９０】
さらに、無線通信部１４，２４間での無線通信によって制御データＤ１や表示制御データＤ４を送受信させる使用方法を例に挙げて説明したが、上記の測定システム１００では、有線通信部１５，２５の間を信号ケーブル３で接続した状態において、制御データＤ１や表示制御データＤ４を有線通信で送受信させることもできる。この場合、「有線通信部」としては、上記の例示のようなＵＳＢ規格に応じた有線通信だけでなく、ＩＥＥＥ４８８規格や、ＩＥＥＥ１３９４規格などに準じた各種の有線通信規格で各種の信号やデータを送受信する構成を採用することもできる。また、「測定装置」および「携帯端末装置」の間の通信手段としては、近距離無線通信や有線通信等に限定されず、公衆回線網やインターネット通信網等を利用した遠距離通信を利用することもできる。
【００９１】
また、「携帯端末装置」の一例として、測定システム用プログラムＤｐをインストールした既存のスマートフォン２を使用する構成を例に挙げて説明したが、「携帯端末装置」は、「スマートフォン」に限定されず、「タブレット端末」や「ノート型パーソナルコンピュータ」に測定システム用プログラムＤｐと同様の「測定システム用プログラム」をインストールして「携帯端末装置」として使用することもできる。さらに、スマートフォン２にインストールする測定システム用プログラムＤｐに関し、インターネット内の任意のサイトからダウンロードして使用するようにしたり、「測定装置」の附属品としてインストール用光ディスクを提供したりする例を説明したが、この測定システム用プログラムＤｐについても、表示用データＤ２と同様に「測定装置」から「携帯端末装置」に送信してインストールさせる構成を採用することもできる。
【００９２】
また、測定装置１の表示部１３に表示される測定処理用画面３０ａと同じレイアウトで同じ情報をスマートフォン２の表示部２３（測定処理用画面３０ｂ）に表示させる例について説明したが、「測定装置側表示部」に表示させる「設定表示」、「動作状態表示」および「測定結果表示」とはレイアウトや内容が相違する表示を「外部装置側表示部」に表示させる構成を採用することもできる。さらに、表示部１３を一体的に備えた測定装置１を例に挙げて説明したが、「測定装置側表示部」が存在しない「測定装置」からスマートフォン２などの「携帯端末装置」に「表示用データ」や「表示制御データ」を送信して、「設定表示」、「動作状態表示」および「測定結果表示」を表示させる構成を採用することもできる。
【００９３】
また、「設定表示」、「動作状態表示」および「測定結果表示」のすべてを「外部装置（携帯端末装置）」としてのスマートフォン２の表示部２３に表示させる構成を例に挙げて説明したが、「設定表示」、「動作状態表示」および「測定結果表示」のうちのいずれか１つ、または２つだけを「外部装置（携帯端末装置）」の表示部に表示させる構成を採用することもできる。なお、「設定表示」は、上記の例示のような「設定されている測定処理の種類）（抵抗測定処理や電流測定処理）」を示す表示に限定されず、測定レンジ、トリガレベル、サンプリング周期、測定開始時刻および測定終了時刻などの各種の設定項目に関する設定値を示す各種の表示がこれに含まれる。また、「動作状態表示」についても、上記の例示に加え、測定処理中であることを示す「MEASURE」との文字列で構成される表示や、測定値の記憶可能容量が少ないことを示す予め規定された図柄（図示せず）で構成される表示などの各種の表示がこれに含まれる。
【００９４】
さらに、「測定装置」の一例であるクランプ式抵抗測定装置（測定装置１）を備えて構成した例に挙げて説明したが、「測定装置」の構成はこれに限定されず、電流値、電圧値、抵抗値、位相、電力、温度、湿度、輝度および照度などの各種の被測定量（電気的パラメータ）を測定可能な「測定装置」を備えて構成することができる。
【符号の説明】
【００９５】
１００  測定システム
１  測定装置
２  スマートフォン
３  信号ケーブル
１１  測定部
１２，２２  操作部
１３，２３  表示部
１４，２４  無線通信部
１５，２５  有線通信部
１６，２６  制御部
１７  メモリ
２１  本体メモリ
２７  ストレージメモリ装着部
３０ａ，３０ｂ  測定処理用画面
３１  モニタ表示部
Ｃ０１〜Ｃ５４  表示位置識別符号
Ｄ０  識別符号データ
Ｄ１  制御データ
Ｄ２  表示用データ
Ｄ３，Ｄ４  表示制御データ
Ｄｐ  測定システム用プログラム
Ｄｒ  関連付けデータ
Ｇ０１〜Ｇ２２  画像データ
Ｍ  ストレージメモリ
Ｓ１ａ〜Ｓ１ｇ，Ｓ２ａ〜Ｓ２ｇ，Ｓ３ａ〜Ｓ３ｇ，Ｓ４ａ〜Ｓ４ｇ，Ｓ５ａ〜Ｓ５ｇ，Ｓ６ａ〜Ｓ６ｇ，Ｓｄｐ２〜Ｓｄｐ４，ＳＯＨＭ，ＳＡ，Ｓｍ，ＳＦＩＬＴ，ＳＨＯＬＤ，ＳＢ０〜ＳＢ３  セグメント
Ｐ０１〜Ｐ５４  座標
【図１】
0006599101.tif 000002
【図２】
0006599101.tif 000003
【図３】
0006599101.tif 000004
【図４】
0006599101.tif 000005
【図５】
0006599101.tif 000006
【図６】
0006599101.tif 000007
【図７】
0006599101.tif 000008